(57)【要約】【課題】使用者の体を支承することができる凭れバーがキャビネットの前面に架設されており、この凭れバーを大きくしても握りやすい構造としているキッチンユニットを提供する。【解決手段】凭れバー２の裏面側に、使用者の手指が挿入可能な凹状の裏面えぐり部７が形成されている。この裏面えぐり部７の上方に、使用者が上方から握ることができる上グリップ部２１が形成されている。さらに、裏面えぐり部７の下方に、使用者が下方から握ることができる下グリップ部２２が形成されている【選択図】      図３
2007190121.tif 000002
【特許請求の範囲】
【請求項１】
使用者の体を支承する凭れバーがキャビネットの前面に架設されているキッチンユニットにおいて、
前記凭れバーの裏面側に、使用者の手指が挿入可能な凹状の裏面えぐり部が形成されていることを特徴とするキッチンユニット。
【請求項２】
前記凭れバーにおける前記裏面えぐり部の上方に、使用者が上方から握ることができる上グリップ部が形成されている請求項１に記載のキッチンユニット。
【請求項３】
前記凭れバーにおける前記裏面えぐり部の下方に、使用者が下方から握ることができる下グリップ部が形成されている請求項１又は２に記載のキッチンユニット。
【請求項４】
前記凭れバーの正面側に、使用者の胴部に対する接触圧を緩和するための正面フラット部が形成されている請求項１〜３のいずれか一項に記載のキッチンユニット。
【請求項５】
前記凭れバーの上面側に、使用者の腕部に対する接触圧を緩和するための上面フラット部が形成されている請求項１〜４のいずれか一項に記載のキッチンユニット。
【請求項６】
前記上面フラット部は、前記キャビネットの上部にある天板の上面とほぼ同じ高さとされている請求項５に記載のキッチンユニット。
【請求項７】
前記キャビネットの前面側において開口し着座姿勢の使用者が膝を入れることができるニースペースが、当該キャビネットに形成され、前記凭れバーは前記ニースペースの上方に設けられている請求項１〜６のいずれか一項に記載のキッチンユニット。
【発明の詳細な説明】
【技術分野】
【０００１】
この発明は、キッチンユニットに関する。
【背景技術】
【０００２】
キッチンにおいて調理作業や食器洗い作業等を行っていると、また、その作業時間が長くなると、使用者は足腰に負担がかかり起立姿勢を保つのがつらくなることがある。特に、身体弱者や足腰の弱い高齢者にとっては長時間、起立姿勢を保つのが困難である。
そこで足腰への負担を軽減するため、特許文献１に示しているように、キャビネット前面の上部に身体を支承することができる水平な凭れバーを設ける構造が提案されている。
さらに、このような凭れバーは、使用者が手摺りとして握るための機能も備えている。
【０００３】
【特許文献１】特開２００２−１５３３３９号公報（図２参照）
【発明の開示】
【発明が解決しようとする課題】
【０００４】
しかし、図８に示しているように従来の凭れバー５０は断面が円形とされている。このような断面形状の凭れバー５０に対して使用者が例えば腹部において凭れかかると、その反力として腹部の一点に集中した荷重が作用し、接触圧が高くなり、腹部が痛くなるという問題点がある。
そこで、このような凭れバーの断面形状を例えば縦長形状とすることで、接触圧を下げることが考えられる。しかし、この場合、凭れバーが大きくなることで、使用者は当該凭れバーを握りにくくなるという問題点がある。
そこでこの発明は、前記問題点に鑑みてなされたものであり、凭れバーを大きくしても握りやすい凭れバーを備えているキッチンユニットを提供することを目的とする。
【課題を解決するための手段】
【０００５】
前記目的を達成するためのこの発明のキッチンユニットは、使用者の体を支承する凭れバーがキャビネットの前面に架設されているキッチンユニットにおいて、前記凭れバーの裏面側に、使用者の手指が挿入可能な凹状の裏面えぐり部が形成されているものである。
この構成によれば、凭れバーは握りやすい形状となる。すなわち、使用者が凭れバーを掴んだ際に、凭れバーの裏面側に形成されている裏面えぐり部に手指を挿入させ指先側を引っ掛けることができ、使用者はしっかりと凭れバーを握ることができる。
【０００６】
また、前記凭れバーにおける前記裏面えぐり部の上方に、使用者が上方から握ることができる上グリップ部を形成することができる。これにより、使用者は凭れバーを上方から握ることができる。
また、前記凭れバーにおける前記裏面えぐり部の下方に、使用者が下方から握ることができる下グリップ部を形成することができる。これにより、使用者は凭れバーを下方からも握ることができる。そして、凭れバーを下方から握った際に、下グリップ部を介して裏面えぐり部に手指を挿入して引っ掛けることができ、しっかりと凭れバーを握ることができる。
【０００７】
前記凭れバーの正面側に、使用者の胴部に対する接触圧を緩和するための正面フラット部が形成されているものである。
これによれば、使用者が凭れバーに凭れると正面フラット部に胴部を接触させることができる。胴部は正面フラット部のフラットな（平らな）面に面接触するため、その接触による荷重を分散させることができ、胴部に対する接触圧を和らげることが可能となる。
【０００８】
また、前記凭れバーの上面側に、使用者の腕部に対する接触圧を緩和するための上面フラット部が形成されている構成とすることができる。
この構成によれば、使用者が凭れバーにその上方から腕部を載せると、接触部分は上面フラット部のフラットな面に面接触するため、その接触による荷重を分散させることができ、腕部に対する接触圧を和らげることができる。
また、前記上面フラット部はそのフラットな面を使用者の前後方向に広くするほど接触圧を緩和させる作用が大きいが、この面を広くすることによって凭れバーの上方からの握りやすさが低減する場合がある。しかし、前記裏面えぐり部が形成されていることで、上面フラット部のフラットな面を広くしても、使用者は前記裏面えぐり部に手指を挿入させ指先側を引っ掛けることができるため、凭れバーを握りやすい構造とすることができる。
【０００９】
そして、この場合、前記上面フラット部は、前記キャビネットの上部にある天板の上面とほぼ同じ高さとされているのが好ましい。
これによれば、使用者が作業を行うために天板の上面に腕部を載せると、その腕部を上面フラット部にも載せることができる。これにより、腕部の接触圧を和らげることができるとともに、凭れバーは腕部を広い範囲で下から支持することができ、作業を行う腕部の負担を軽減させることができる。
【００１０】
また、このようなキッチンユニットにおいて、前記キャビネットの前面側において開口し着座姿勢の使用者が膝を入れることができるニースペースが、当該キャビネットに形成され、前記凭れバーは前記ニースペースの上方に設けられているのが好ましい。
これによれば、使用者は着座姿勢でニースペースに膝を入れることができるため、胴部をキャビネットの前面に接近させ、作業を行いやすい位置に座ることができる。そして、キャビネットの前面側であって、ニースペースの上方に凭れバーが存在していることによって、使用者はこの凭れバーを掴んで着座姿勢から起立姿勢への変更、またはその反対の動作が可能となる。
【発明の効果】
【００１１】
本発明のキッチンユニットによれば、凭れバーは握りやすい形状となる。すなわち、使用者が凭れバーを掴んだ際に、凭れバーの裏面側に形成されている裏面えぐり部に手指を挿入させ指先側を引っ掛けることができ、使用者はしっかりと凭れバーを握ることができる。
【発明を実施するための最良の形態】
【００１２】
以下、この発明の実施の形態について図面を参照しながら説明する。
図１はこの発明のキッチンユニットの実施の一形態を示す正面図である。このキッチンユニットは、床や壁面下部に取り付けられる床上設備１と、天井や壁面上部に取り付けられる壁面設備３１とを備えている。図２は床上設備１を示す斜視図である。
【００１３】
図１と図２において、床上設備１は、複数のキャビネット部を有しこれらによって一体として構成されたキャビネット２０と、このキャビネット２０の上部に設けられた天板（カウンタ）３とを備えている。キャビネット２０には、物品を収納できる複数の収納部２６（例えば、引き出し）、食器洗い機２９、加熱器具２８、及び、シンク２７が設けられている。そして、天板３には、シンク２７の開口部、加熱器具２８の加熱台部２８ａが設けられている。
図１において、壁面設備３１は、扉を開いて物品を収納できる収納部３２、換気扇を収容している換気扇用フード３３、及び、昇降吊り戸棚３４を備えている。
【００１４】
床上設備１のキャビネット２０には、使用者が着座姿勢で膝を入れることができるニースペース４が形成されている。ニースペース４は、キャビネット２０の前面２０ａ側において開口する凹部として形成されている。つまり、キャビネット２０は、左右方向に離れて床面から立設している左右の側部キャビネット部３８，３９、及び、これら左右の側部キャビネット部３８，３９の上部を連結した状態にある水平状の上部４０（前面化粧板２５によって隠されている部分）によって、門型に形成されている部分を備えている。そして、これら左右の側部キャビネット部３８，３９の間であって前記上部４０の下方がニースペース４とされている。
【００１５】
これにより、使用者は椅子３５（図１参照）に着座した姿勢でニースペース４に膝を入れることができ、胴部を床上設備１の前面に接近させ、作業を行いやすい位置に座ることができる。
なお、本発明のキッチンユニットにおいて、正面及び前面とは使用者側に向く面であり、このキッチンユニットに向かう使用者の左手側を左、右手側を右としている。
【００１６】
このキッチンユニットにおいて、キャビネット２０の前面２０ａに使用者の体を支承する凭れバー（サポートバー）２が設けられている。凭れバー２は、ニースペース４の開口部の上方にある前面化粧板２５に取付部材２４を介して架設されている。取付部材２４は、前面化粧板２５の左右両側部から使用者側へ突出している部材であり、左右の取付部材２４の先端部に凭れバー２の左右両端部が固定されている。これにより、凭れバー２はキャビネット２０の前面２０ａ（前面化粧板２５）から離れて設けられており、また、左右水平方向が長手方向として設けられている。このキッチンユニットによれば、使用者は調理作業や食器洗い作業等を行っている際にこの凭れバー２に凭れることができる。
【００１７】
図３は凭れバーの横断面図であり、この凭れバー２の形状について説明する。
凭れバー２の正面側には、使用者に対向するフラットな面とされている正面フラット部５が形成されている。つまり、正面フラット部５は凭れバー２の正面に鉛直平面として形成されている。
【００１８】
さらに、この凭れバー２の上面側には、上方に向くフラットな面とされている上面フラット部６が形成されている。上面フラット部６は、正面フラット部５の上端から第一外アール面部９が介在してまっすぐな水平面として形成されている。また、正面フラット部５から第一外アール面部９を経て上面フラット部６までは滑らかな面として形成されている。
さらに、上面フラット部６は、キャビネット２０の上部にある天板３の上面３ａとほぼ同じ高さとされている。なお、この「ほぼ同じ高さ」とは、両者が同じ高さである以外に、上面フラット部６が天板３の上面３ａに対して高さ方向に±１ｃｍの範囲内に存在している場合も含む。
【００１９】
さらに、この凭れバー２の裏面側の上部には、キャビネット２０の前面２０ａ（前面化粧板２５乃至天板３の前面）に対向しているフラットな面とされている上裏面フラット部８が形成されている。上裏面フラット部８は、上面フラット部６から第二外アール面部１０が介在してまっすぐな鉛直平面として形成されている。また、上面フラット部６から第二外アール面部１０を経て上裏面フラット部８までは滑らかな面として形成されている。
【００２０】
さらに、この凭れバー２の裏面側の上下方向の中間部に、使用者の手指が挿入可能な凹状の裏面えぐり部７が形成されている。裏面えぐり部７は、上裏面フラット部８から第三外アール面部１１が介在して、キャビネット２０の前面２０ａ（前面化粧板２５）に対向している断面凹形の部分として形成されている。
なお、前記第一外アール面部９、第二外アール面部１０、及び、第三外アール面部１１はそれぞれ、中心角度が９０°の円弧断面を有している曲面とされている。
【００２１】
図３に示している裏面えぐり部７は、前記第三外アール面部１１から連続しており凭れバー２の裏から表方向に延伸している上面１４と、この上面１４から連続しており上下方向に延伸している鉛直面状の奥面１５と、この奥面１５から連続しており凭れバー２の表側から裏方向に延伸している下面１６とを有しており、断面コ字形として形成されている。なお、この裏面えぐり部７において、上面１４と奥面１５との間、及び、奥面１５と下面１６との間は内アール面部を介して滑らかに連続している。
【００２２】
さらに、この凭れバー２の裏面側の下部に下裏面フラット部１７が形成されている。下裏面フラット部１７は、裏面えぐり部７の下面１６から第四外アール面部１２が介在して、キャビネット２０の前面２０ａ（前面化粧板２５）に対向しているフラットな面（平面）として形成されている。つまり、下裏面フラット部１７は鉛直平面として形成されている。
【００２３】
さらに、この凭れバー２の下面側には下面フラット部１８が形成されている。下面フラット部１８は、下裏面フラット部１７の下端から第五外アール面部１３が介在して、下方に向くフラットな面（平面）として形成されている。つまり、下面フラット部１８は水平面として形成されている。そして、下面フラット部１８の前部から第六外アール面部１９が介在し正面フラット部５の下部へと滑らかに連続している。
【００２４】
前記第四外アール面部１２、第五外アール面部１３、及び、第六外アール面部１９はそれぞれ、中心角度が９０°の円弧断面を有している曲面とされている。そして、裏面えぐり部７から下裏面フラット部１７及び下面フラット部１８を経て正面フラット部５までは、各外アール面部１２，１３，１９を介して滑らかな面として形成されている。
そして、この凭れバー２はその長手方向に同一断面形状とされており、左右水平方向にまっすぐなバー部材とされている。
【００２５】
以上のような構成の凭れバー２によれば、その正面側に正面フラット部５が形成されていることにより、図４に示しているように、起立姿勢にある使用者が凭れバー２の正面側に凭れると、正面フラット部５に腹部を接触させることができる。正面フラット部５は上下方向に広いフラットな面であるため、使用者は凭れバー２に凭れやすく楽な姿勢で作業を行うことができる。さらに、腹部は正面フラット部５の広いフラットな面に面接触するため、その接触による荷重を分散させることができ、腹部に対する接触圧を緩和することが可能となる。また図示しないが、着座姿勢にある使用者がこの凭れバー２に凭れると、正面フラット部５に胸部を接触させることができ、同様に胸部に対する接触圧を緩和することが可能となる。
【００２６】
さらに、図５に示しているように、使用者が天板３の上で作業を行う場合、凭れバー２の上面側に形成されている上面フラット部６に腕部を載せたり、図示しないが、上面フラット部６に手をついて体重をかけたりすることができる。この上面フラット部６ではフラットな面で面接触するため、その接触による荷重を分散させることができ、腕部や手に対する接触圧を緩和することが可能となる。
【００２７】
また、この上面フラット部６は、天板３の上面３ａとほぼ同じ高さとされているため、図５に示しているように、着座姿勢にある使用者が天板３の上面３ａで作業を行う際、その上面３ａに腕部を載せると、その腕の肘部側を凭れバー２の上面フラット部６にも載せることができる。これにより、天板３の上面３ａと凭れバー２とによって腕部は広い範囲で下から支持することができ、腕部における負担を軽減させることができる。
【００２８】
また、凭れバー２の裏面側に凹状の裏面えぐり部７が形成されているため、図６に示しているように、使用者が凭れバー２を掴んだ際に、凭れバー２の裏面側に形成されている裏面えぐり部７に手指を挿入させ指先側を引っ掛けることができる。このように凭れバー２は握りやすい構造となり、使用者はしっかりと凭れバー２を握ることができる。
なお、上面フラット部６はそのフラットな面を使用者の前後方向に広くするほど接触圧を緩和させる作用が大きいが、この面を広くすることで凭れバー２の上方からの握りやすさが低減する場合がある。しかし、前記裏面えぐり部７が形成されていることで、上面フラット部６を広くしても、使用者は裏面えぐり部７に手指を挿入させ指先側を引っ掛けることができため、凭れバー２を握りやすい構造とすることができる。
【００２９】
さらに、この凭れバー２において、上面フラット部６と裏面えぐり部７との間の部分に、第二外アール面部１０と上裏面フラット部８と第三外アール面部１１とによって滑らかな凸曲面が形成されているため、使用者が裏面えぐり部７に手指の先端側を挿入させて凭れバー２を握った際、手指の長手方向の中間乃至基端側を前記凸曲面に接触させることができる。このため、例えばとっさに凭れバー２を掴んだ場合や、凭れバー２を握った状態で当該凭れバー２から離れる方向へ体重を作用させた場合であっても、前記凸曲面に手指が接触することで、手指に対する接触圧を緩和することができ、痛さを和らげることができる。
【００３０】
また、図３に示しているように、この凭れバー２は、その裏面の中間部に前記裏面えぐり部７が形成されることによって、凭れバー２の上部と下部のそれぞれにおいて、キャビネット２０の前面２０ａ側へ膨らんだ部分が形成された構造とされている。つまり、凭れバー２における裏面えぐり部７の上方に、使用者が上方から握ることができる上グリップ部２１が形成されている。この上グリップ部２１は、正面フラット部５の上部と、上面フラット部６と、上裏面フラット部８と、裏面えぐり部７の上面１４とによって構成されている。
さらに、裏面えぐり部７の下方に、使用者が下方から握ることができる下グリップ部２２が形成されている。この下グリップ部５は、裏面えぐり部７の下面１６と、下裏面フラット部１７と、下面フラット部１８と、正面フラット部５の下部とによって構成されている。
【００３１】
このように、上グリップ部２１と下グリップ部２２とはそれぞれ、裏面えぐり部７の奥面１５よりもキャビネット２０側に膨らんだ構造とされているため、使用者は凭れバー２を上方から、及び、下方からも握りやすい構造となる。
そして、凭れバー２を上方から握った場合、上グリップ部２１を介して裏面えぐり部７に手指を引っ掛けることができ、しっかりと凭れバー２を握ることができる。また、凭れバー２を下方から握った場合、下グリップ部２２を介して裏面えぐり部７に手指を引っ掛けることができ、しっかりと凭れバー２を握ることができる。
さらに、下グリップ部２２における表裏方向の幅寸法は、上グリップ部２１における表裏方向の幅寸法よりも小さくされている。これにより、上グリップ部２１の上面フラット部６の面積を大きくしたまま、下グリップ部２２の断面積を上グリップ部２１よりも小さくすることができる。このため、使用者が咄嗟に下グリップ部２２を下方から掴んだ際、当該下グリップ部２２を手指で包むようにして強く握ることができる。
【００３２】
また、この凭れバー２は少なくとも上部に、表面が波形とされている部分を有している。つまり、図７に示しているように、表面波形とされている部分は、正面フラット部５の上位置から裏面えぐり部７の上部までの範囲とされている。具体的には、第一外アール面部９、上面フラット部６、第二外アール面部１０、上裏面フラット部８、第三外アール面部１１、裏面えぐり部７の上面１４、及び、裏面えぐり部７の内アール面部２３が、連続した表面波形とされている。なお、この凹凸波形の形状は凸部を小アール部とすることで形成でき、この場合、例えば、小アール部の半径が１ｍｍ〜３ｍｍとされ、波形の深さ（頂部と谷部との差）は０．２ｍｍ〜０．６ｍｍとすることができる。これにより、使用者が上グリップ部２１を掴んだ際、手指が当該上グリップ部２１に引っ掛かりやすく、また、手指が滑りにくくなる。
【００３３】
以上のように本発明のキッチンユニットによれば、凭れバー２との接触圧を低減させることが可能となるため、起立姿勢または着座姿勢にある使用者が凭れバー２に正面や上方から長時間凭れても、接触部における痛さを緩和することができる。さらに、凭れバー２がキャビネット２０の前面２０ａ側であってニースペース４の上方に設けられていることによって、使用者は、特に身体弱者や足腰が弱ってきた高齢者は、この凭れバー２を掴んで着座姿勢から起立姿勢への変更の動作、または、その反対の動作が可能となる。これにより、これら動作が容易でかつ安全なものとなる。このように、この凭れバー２は起立姿勢であっても着座姿勢であっても使いやすいものとなる。
【００３４】
さらに、凭れバー２は、前記裏面えぐり部７、前記上グリップ部２１、前記下グリップ２２により握りやすい構造とされているため、車輪付きの椅子３５（図１参照）に座った状態にある使用者は、座ったまま凭れバー２を掴んで左右方向へ椅子３５とともに移動することができ、横移動が容易となる。
【００３５】
また、本発明のキッチンユニットは、図示する形態に限らずこの発明の範囲内において他の形態のものであっても良く、前記実施の形態ではキャビネット２０にニースペース４を有しているキッチンユニットについて説明したが、これに限らず、ニースペース４を有していないキッチンユニットであってもよい。
また、凭れバー２において、例えば、上面フラット部が形成されないで、正面フラット部と凹状の裏面えぐり部とが形成されている形態であってもよく、または、正面フラット部と上面フラット部と裏面えぐり部の少なくともいずれか一つが形成されている形態であってもよい。
【図面の簡単な説明】
【００３６】
【図１】本発明のキッチンユニットの実施の一形態を示す正面図である。
【図２】キッチンユニットが有している下部の床上設備の斜視図である。
【図３】凭れバーの横断面図である。
【図４】凭れバーの使用状態を示す参考図である。
【図５】凭れバーの他の使用状態を示す参考図である。
【図６】使用者が凭れバーを握った状態を示している参考図である。
【図７】凭れバーの上部の横断面図である。
【図８】従来のキッチンユニットにおける凭れバーを説明する説明図である。
【符号の説明】
【００３７】
１  床上設備
２  凭れバー
３  天板
３ａ  上面
４  ニースペース
５  正面フラット部
６  上面フラット部
７  裏面えぐり部
２０  キャビネット
２０ａ  前面
２１  上グリップ部
２２  下グリップ部
【図１】
2007190121.tif 000003
【図２】
2007190121.tif 000004
【図３】
2007190121.tif 000005
【図４】
2007190121.tif 000006
【図５】
2007190121.tif 000007
【図６】
2007190121.tif 000008
【図７】
2007190121.tif 000009
【図８】
2007190121.tif 000010